(57)【要約】【課題】高い熱交換効率を達成することができる熱交換技術を用いて、衣類を乾燥する乾燥装置を提供することを目的とする。【解決手段】本出願は、衣類が収容される収容槽と、前記衣類を乾燥する乾燥空気を前記収容槽へ送り込む送風機と、前記収容槽から排出された排出空気を前記送風機へ案内する排気ダクトと、該排気ダクト内を流れる前記排出空気と熱交換し、前記乾燥空気を作り出す熱交換装置と、を備える乾燥装置を開示する。該熱交換装置は、前記排気ダクト内に配置された主熱交換器と、前記排気ダクトの外において前記主熱交換器から受け取った熱を排出する副熱交換器と、を含む。該副熱交換器は、前記主熱交換器よりも上方に配置される。【選択図】図６
2014030667.tif 000002
【特許請求の範囲】
【請求項１】
衣類が収容される収容槽と、
前記衣類を乾燥する乾燥空気を前記収容槽へ送り込む送風機と、
前記収容槽から排出された排出空気を前記送風機へ案内する排気ダクトと、
該排気ダクト内を流れる前記排出空気と熱交換し、前記乾燥空気を作り出す熱交換装置と、を備え、
該熱交換装置は、前記排気ダクト内に配置された主熱交換器と、前記排気ダクトの外において前記主熱交換器から受け取った熱を排出する副熱交換器と、を含み、
該副熱交換器は、前記主熱交換器よりも上方に配置されることを特徴とする乾燥装置。
【請求項２】
前記収容槽が収容される筐体を更に備え、
前記筐体は、前記副熱交換器の近くに配置された第１壁を含むことを特徴とする請求項１に記載の乾燥装置。
【請求項３】
前記第１壁は、金属製であることを特徴とする請求項２に記載の乾燥装置。
【請求項４】
前記排気ダクトは、前記第１壁に沿う第１方向に延び、
前記副熱交換器は、前記主熱交換器から伝達された熱を排熱する排熱器と、該排熱器を空冷するための冷却空気を送り込む冷却機を含み、
該冷却機は、前記第１方向とは異なる第２方向へ前記冷却空気を送り込むことを特徴とする請求項２又は３に記載の乾燥装置。
【請求項５】
前記冷却機は、前記主熱交換器から離間する方向へ前記冷却空気を送り込むことを特徴とする請求項４に記載の乾燥装置。
【請求項６】
前記冷却機は、前記排気ダクトによって支持され、
前記排熱器は、前記第１壁と前記冷却機との間に配置されることを特徴とする請求項５に記載の乾燥装置。
【請求項７】
前記冷却機は、前記第１壁に向けて、前記冷却空気を送り込むことを特徴とする請求項６に記載の乾燥装置。
【請求項８】
前記筐体は、前記第１壁とは反対側の第２壁とを含み、
前記冷却機は、前記第２壁に向けて前記冷却空気を送り込むことを特徴とする請求項４に記載の乾燥装置。
【請求項９】
前記筐体は、前記収容槽の下方で横たわる底壁を含み、
該底壁には、前記筐体外の外気の流入を許容する導気口が形成され、
前記冷却機は、前記導気口から流入した空気を、前記冷却空気として送り込むことを特徴とする請求項８に記載の乾燥装置。
【請求項１０】
前記第１壁には、前記筐体外の外気の流入を許容する導気口が形成され、
前記冷却機は、前記導気口から流入した空気を、前記冷却空気として送り込むことを特徴とする請求項８に記載の乾燥装置。
【請求項１１】
前記収容槽が収容される筐体を更に備え、
前記筐体は、前記副熱交換器の近くに配置された第１壁と、前記収容槽の上方で横たわる天壁と、を含み、
前記冷却機は、前記天壁に向けて、前記冷却空気を送り込み、
前記排気ダクトは、前記第１壁に沿って延設されることを特徴とする請求項４に記載の乾燥装置。
【請求項１２】
前記収容槽が収容される筐体を更に備え、
前記筐体は、前記副熱交換器の近くに配置された第１壁と、前記収容槽の下方で横たわる底壁と、を含み、
前記冷却機は、前記底壁に向けて、前記冷却空気を送り込み、
前記排気ダクトは、前記第１壁に沿って延設されることを特徴とする請求項４に記載の乾燥装置。
【請求項１３】
前記筐体は、前記収容槽に連通する投入口が形成された前壁と、該前壁とは反対の後壁と、前記前壁と前記後壁との間で立設された側壁と、を含み、
該側壁は、前記第１壁であることを特徴とする請求項２乃至８のいずれか１項に記載の乾燥装置。
【請求項１４】
前記筐体は、前記収容槽の下方で横たわる底壁を含み、
前記排気ダクトは、前記収容槽から前記底壁に向かって延びる第１排気ダクトと、該第１排気ダクトから屈曲し、前記送風機に向かって延びる第２排気ダクトと、を含み、
前記送風機は、前記底壁に据え付けられ、
前記主熱交換器は、前記第２排気ダクト内に配置され、
前記副熱交換器は、前記第２排気ダクト上に配置されることを特徴とする請求項１３に記載の乾燥装置。
【請求項１５】
前記送風機から前記収容槽へ前記乾燥空気を前記後壁に沿って案内する流入ダクトを更に備え、
前記第１排気ダクトは、前記流入ダクトよりも前記前壁の近くに配置され、
前記流入ダクトは、前記第１排気ダクトよりも前記後壁の近くに配置され、
前記冷却機は、前記第１排気ダクトよりも前記前壁から離間され、且つ、前記流入ダクトよりも前記後壁から離間されることを特徴とする請求項１４に記載の乾燥装置。
【請求項１６】
前記主熱交換器は、前記排出空気を除湿する除湿部と、前記除湿部によって除湿された前記排出空気を加熱し、前記乾燥空気を作り出す加熱部と、を含むことを特徴とする請求項４乃至１５のいずれか１項に記載の乾燥装置。
【請求項１７】
前記熱交換装置は、前記除湿部と前記加熱部との間での作動媒体の循環経路を規定する循環路と、前記作動媒体を圧縮するコンプレッサと、前記作動媒体を減圧する減圧部と、を含み、
前記循環路は、前記加熱部と前記減圧部との間で、前記排熱器へ前記作動媒体を案内する案内経路を規定することを特徴とする請求項１６に記載の乾燥装置。
【請求項１８】
前記除湿部は、前記減圧部による減圧によって冷却された前記作動媒体を用いて、前記排気ダクト内を流れる前記排出空気から熱を奪う除熱フィンを含み、
前記加熱部は、前記コンプレッサによって圧縮された前記作動媒体の熱を、前記排気ダクト内を流れる前記排出空気に与える加熱フィンを含み、
前記除熱フィン及び前記加熱フィンは、前記第１方向に沿う熱交換面を含むことを特徴とする請求項１７に記載の乾燥装置。
【請求項１９】
前記排熱器は、前記第２方向に沿う排熱面を含む排熱フィンを含むことを特徴とする請求項１８に記載の乾燥装置。
【請求項２０】
前記第２方向は、前記第１方向に対して直角方向であることを特徴とする請求項４乃至１９のいずれか１項に記載の乾燥装置。
【請求項２１】
前記収容槽へ、水を供給する給水機構を更に備え、
前記収容槽は、前記前壁と前記後壁との間で延びる回転軸周りに回転する回転ドラムと、該回転ドラムを収容する水槽と、を含み、
該水槽は、前記回転軸を取り囲む円筒形状の外周壁を含むことを特徴とする請求項１４又は１５に記載の乾燥装置。
【発明の詳細な説明】
【技術分野】
【０００１】
本発明は、衣類を乾燥するための乾燥装置に関する。
【背景技術】
【０００２】
乾燥装置は、高温且つ乾燥した空気（以下、「乾燥空気」と称される）を用いて、衣類を乾燥させる。乾燥空気は、典型的には、熱交換器を用いて作り出される。熱交換器は、衣類から水分を奪った空気から熱を奪い、空気の湿度を低減させる除湿器と、除湿器を通過した空気を加熱し、乾燥空気を作り出す加熱器と、を含む。
【０００３】
特許文献１は、熱交換器の熱交換効率を向上させる技術を開示する。特許文献１は、空気が通過するダクトの外に配置された追加的な排熱構造を提案する。排熱構造は、除湿器と加熱器との間で循環される作動媒体からの排熱を促す。作動媒体は、加熱器を通過した後、排熱構造を通じて、排熱する。その後、作動媒体は、除湿器を通過するので、除湿器は、多量の熱を空気から奪うことができる。この結果、熱交換効率は、向上する。
【先行技術文献】
【特許文献】
【０００４】
【特許文献１】特開昭６３−２０９７００号公報
【発明の概要】
【発明が解決しようとする課題】
【０００５】
排熱構造を通じて放出された熱が、衣類の乾燥に用いられた空気に伝わるならば、熱交換効率は、結果的に低減する。したがって、排熱構造は、衣類の乾燥に用いられた空気の循環経路から離間される必要がある。除湿器及び加熱器から離間した排熱構造の配置は、作動媒体の循環経路を規定する管路の設計を複雑にする。或いは、除湿器及び加熱器から離間した排熱構造の配置は、乾燥装置に用いられる他の装置との干渉を防止するために、大きな筐体を要求することもある。
【０００６】
本発明は、高い熱交換効率を達成することができる熱交換技術を用いて、衣類を乾燥する乾燥装置を提供することを目的とする。
【課題を解決するための手段】
【０００７】
本発明の一局面に係る乾燥装置は、衣類が収容される収容槽と、前記衣類を乾燥する乾燥空気を前記収容槽へ送り込む送風機と、前記収容槽から排出された排出空気を前記送風機へ案内する排気ダクトと、該排気ダクト内を流れる前記排出空気と熱交換し、前記乾燥空気を作り出す熱交換装置と、を備える。該熱交換装置は、前記排気ダクト内に配置された主熱交換器と、前記排気ダクトの外において前記主熱交換器から受け取った熱を排出する副熱交換器と、を含む。該副熱交換器は、前記主熱交換器よりも上方に配置される。
【０００８】
上記構成によれば、送風機は、乾燥空気を収容槽へ送り込むので、収容槽内の衣類は適切に乾燥される。送風機の送気の結果、収容槽から排出空気が排出される。排出空気は、排気ダクトによって、送風機へ案内される。排出空気が排気ダクト内を流れる間、排気ダクト内に配設された主熱交換器は、排出空気と熱交換する。この結果、熱交換装置は、乾燥空気を作り出すことができる。排気ダクトの外において副熱交換器の排熱器は、主熱交換器から受け取った熱を排出するので、主熱交換器における熱交換率は大きくなる。副熱交換器は、主熱交換器よりも上方に配置されるので、副熱交換器からの熱の対流は、主熱交換器での熱交換にほとんど影響しない。したがって、乾燥装置は、高い熱交換効率を達成することができる熱交換技術を用いて、衣類を乾燥することができる。
【０００９】
上記構成において、乾燥装置は、前記収容槽が収容される筐体を更に備えてもよい。前記筐体は、前記副熱交換器の近くに配置された第１壁を含んでもよい。
【００１０】
上記構成によれば、筐体の第１壁は、副熱交換器の近くに配置されるので、副熱交換器からの排熱は、第１壁を通じて、筐体外に放出されやすくなる。
【００１１】
上記構成において、前記第１壁は、金属製であってもよい。
【００１２】
上記構成によれば、第１壁は、金属製であるので、副熱交換器からの排熱は、第１壁中で伝導されやすくなる。したがって、熱は、第１壁を通じて、筐体外へ排出されやすくなる。
【００１３】
上記構成において、前記排気ダクトは、前記第１壁に沿う第１方向に延びてもよい。前記副熱交換器は、前記主熱交換器から伝達された熱を排熱する排熱器と、該排熱器を空冷するための冷却空気を送り込む冷却機を含んでもよい。該冷却機は、前記第１方向とは異なる第２方向へ前記冷却空気を送り込んでもよい。
【００１４】
上記構成によれば、主熱交換器から伝達された熱を排熱する排熱器を空冷するための冷却空気は、排気ダクトが延びる第１方向とは異なる第２方向へ送り込まれる。したがって、排熱器から冷却空気に移った熱は、排気ダクトを流れる排出空気に影響しにくくなる。
【００１５】
上記構成において、前記冷却機は、前記主熱交換器から離間する方向へ前記冷却空気を送り込んでもよい。
【００１６】
上記構成によれば、冷却機は、主熱交換器から離間する方向へ冷却空気を送り込むので、排熱器から冷却空気に移った熱は、排気ダクトを流れる排出空気に影響しにくくなる。
【００１７】
上記構成において、前記冷却機は、前記排気ダクトによって支持されてもよい。前記排熱器は、前記第１壁と前記冷却機との間に配置されてもよい。
【００１８】
上記構成によれば、排気ダクトによって支持された冷却機からの冷却空気は、第１壁と冷却機との間に配置された排熱器に送られる。したがって、排熱器からの熱は、第１壁を通じて、筐体外へ排出されやすくなる。
【００１９】
上記構成において、前記冷却機は、前記第１壁に向けて、前記冷却空気を送り込んでもよい。
【００２０】
上記構成によれば、冷却機は、第１壁に向けて、冷却空気を送り込むので、排熱器からの熱は、第１壁を通じて、筐体外へ排出されやすくなる。
【００２１】
上記構成において、前記筐体は、前記第１壁とは反対側の第２壁とを含んでもよい。前記冷却機は、前記第２壁に向けて前記冷却空気を送り込んでもよい。
【００２２】
上記構成によれば、冷却機は、副熱交換器の近くに配置された第１壁とは反対側の第２壁に向けて、冷却空気を送り込むので、副熱交換器からの排熱は、筐体内で拡散される。冷却空気が送り込まれる方向は、第１方向とは異なる第２方向であるので、排熱器からの排熱は、乾燥空気及び排出空気に対して、熱的に影響しにくくなる。したがって、乾燥装置は、高い熱交換効率を達成することができる熱交換技術を用いて、衣類を乾燥することができる。
【００２３】
上記構成において、前記筐体は、前記収容槽の下方で横たわる底壁を含んでもよい。該底壁には、前記筐体外の外気の流入を許容する導気口が形成されてもよい。前記冷却機は、前記導気口から流入した空気を、前記冷却空気として送り込んでもよい。
【００２４】
上記構成によれば、副熱交換器は、筐体外の外気によって、適切に冷却される。したがって、乾燥装置は、高い熱交換効率を達成することができる熱交換技術を用いて、衣類を乾燥することができる。
【００２５】
上記構成において、前記第１壁には、前記筐体外の外気の流入を許容する導気口が形成されてもよい。前記冷却機は、前記導気口から流入した空気を、前記冷却空気として送り込んでもよい。
【００２６】
上記構成によれば、副熱交換器は、筐体外の外気によって、適切に冷却される。したがって、乾燥装置は、高い熱交換効率を達成することができる熱交換技術を用いて、衣類を乾燥することができる。
【００２７】
上記構成において、乾燥装置は、前記収容槽が収容される筐体を更に備えてもよい。前記筐体は、前記副熱交換器の近くに配置された第１壁と、前記収容槽の上方で横たわる天壁と、を含んでもよい。前記冷却機は、前記天壁に向けて、前記冷却空気を送り込んでもよい。前記排気ダクトは、前記第１壁に沿って延設されてもよい。
【００２８】
上記構成によれば、冷却機は、収容槽の上方で横たわる天壁に向けて、冷却空気を送り込むので、副熱交換器からの排熱は、筐体内で拡散される。冷却空気が送り込まれる方向は、第１方向とは異なる第２方向であるので、排熱器からの排熱は、乾燥空気及び排出空気に対して、熱的に影響しにくくなる。したがって、乾燥装置は、高い熱交換効率を達成することができる熱交換技術を用いて、衣類を乾燥することができる。排気ダクトが、第１壁に沿って延設されるので、排気ダクト内の主熱交換器も第１壁の近くに配置されることとなる。主熱交換器及び副熱交換器がともに第１壁の近くにおいて集中的に配置されるので、熱交換装置のレイアウト設計が容易になる。
【００２９】
上記構成において、乾燥装置は、前記収容槽が収容される筐体を更に備えてもよい。前記筐体は、前記副熱交換器の近くに配置された第１壁と、前記収容槽の下方で横たわる底壁と、を含んでもよい。前記冷却機は、前記底壁に向けて、前記冷却空気を送り込んでもよい。前記排気ダクトは、前記第１壁に沿って延設されてもよい。
【００３０】
上記構成によれば、冷却機は、収容槽の下方で横たわる底壁に向けて、冷却空気を送り込むので、副熱交換器からの排熱は、筐体内で拡散される。冷却空気が送り込まれる方向は、第１方向とは異なる第２方向であるので、排熱器からの排熱は、乾燥空気及び排出空気に対して、熱的に影響しにくくなる。したがって、乾燥装置は、高い熱交換効率を達成することができる熱交換技術を用いて、衣類を乾燥することができる。排気ダクトが、第１壁に沿って延設されるので、排気ダクト内の主熱交換器も第１壁の近くに配置されることとなる。主熱交換器及び副熱交換器がともに第１壁の近くにおいて集中的に配置されるので、熱交換装置のレイアウト設計が容易になる。
【００３１】
上記構成において、前記筐体は、前記収容槽に連通する投入口が形成された前壁と、該前壁とは反対の後壁と、前記前壁と前記後壁との間で立設された側壁と、を含んでもよい。該側壁は、前記第１壁であってもよい。
【００３２】
上記構成によれば、排気ダクトが、側壁に沿って延設されるので、排気ダクト内の主熱交換器も側壁の近くに配置されることとなる。主熱交換器及び副熱交換器がともに側壁の近くにおいて集中的に配置されるので、熱交換装置のレイアウト設計が容易になる。
【００３３】
上記構成において、前記筐体は、前記収容槽の下方で横たわる底壁を含んでもよい。前記排気ダクトは、前記収容槽から前記底壁に向かって前記前壁に沿って延びる第１排気ダクトと、該第１排気ダクトから屈曲し、前記送風機に向かって、前記第１方向に延びる第２排気ダクトと、を含んでもよい。前記送風機は、前記底壁に据え付けられてもよい。前記主熱交換器は、前記第２排気ダクト内に配置されてもよい。
【００３４】
上記構成によれば、送風機は、底壁に据え付けられるので、第１方向に延びる第２排気ダクトは、底壁に沿って配置される。冷却機は、主熱交換器が配置される第２排気ダクトの延設方向とは異なる第２方向に冷却空気を送り出すので、副熱交換器からの排熱は、第１排気ダクト内を流れる排出空気に影響しにくくなる。したがって、乾燥装置は、高い熱交換効率を達成することができる熱交換技術を用いて、衣類を乾燥することができる。
【００３５】
上記構成において、乾燥装置は、前記送風機から前記収容槽へ前記乾燥空気を前記後壁に沿って案内する流入ダクトを更に備えてもよい。前記第１排気ダクトは、前記流入ダクトよりも前記前壁の近くに配置されてもよい。前記流入ダクトは、前記第１排気ダクトよりも前記後壁の近くに配置されてもよい。前記冷却機は、前記第１排気ダクトよりも前記前壁から離間され、且つ、前記流入ダクトよりも前記後壁から離間されてもよい。
【００３６】
上記構成によれば、送風機は、熱交換装置によって作り出された乾燥空気を、流入ダクトを通じて収容槽へ送り込む。したがって、衣類は収容槽内で適切に乾燥される。第１排気ダクトよりも前記前壁から離間され、且つ、前記流入ダクトよりも前記後壁から離間された冷却機は、冷却空気を第２方向へ送り出すので、副熱交換器からの排熱は、第１排気ダクト内を流れる排出空気及び流入ダクトを流れる乾燥空気に影響しにくくなる。したがって、乾燥装置は、高い熱交換効率を達成することができる熱交換技術を用いて、衣類を乾燥することができる。
【００３７】
上記構成において、前記主熱交換器は、前記排出空気を除湿する除湿部と、前記除湿部によって除湿された前記排出空気を加熱し、前記乾燥空気を作り出す加熱部と、を含んでもよい。
【００３８】
上記構成によれば、除湿部は、排出空気の湿度を下げる。その後、加熱部は、排出空気を加熱し、乾燥空気を作り出す。したがって、乾燥装置は、乾燥空気を用いて、衣類を適切に乾燥することができる。
【００３９】
上記構成において、前記熱交換装置は、前記除湿部と前記加熱部との間での作動媒体の循環経路を規定する循環路と、前記作動媒体を圧縮するコンプレッサと、前記作動媒体を減圧する減圧部と、を含んでもよい。前記循環路は、前記加熱部と前記減圧部との間で、前記排熱器へ前記作動媒体を案内する案内経路を規定してもよい。
【００４０】
上記構成によれば、循環路は、加熱部と減圧部との間で、排熱器へ作動媒体を案内するので、主熱交換器の熱は、作動媒体を介して、副熱交換器へ伝達される。副熱交換器は、作動媒体からの排熱を促すので、減圧部へ流入する作動媒体の温度は低減される。この結果、減圧部の減圧によって、低温の作動媒体が作り出されることとなる。したがって、乾燥装置は、高い熱交換効率を達成することができる熱交換技術を用いて、衣類を乾燥することができる。
【００４１】
上記構成において、前記除湿部は、前記減圧部による減圧によって冷却された前記作動媒体を用いて、前記排気ダクト内を流れる前記排出空気から熱を奪う除熱フィンを含んでもよい。前記加熱部は、前記コンプレッサによって圧縮された前記作動媒体の熱を、前記排気ダクト内を流れる前記排出空気に与える加熱フィンを含んでもよい。前記除熱フィン及び前記加熱フィンは、前記第１方向に沿う熱交換面を含んでもよい。
【００４２】
上記構成によれば、除熱フィン及び加熱フィンは、第１方向に沿う熱交換面を有するので、第１方向に流れる排出空気は、排気ダクト内を円滑に流動しつつ、主熱交換器と熱交換することができる。
【００４３】
上記構成において、前記排熱器は、前記第２方向に沿う排熱面を含む排熱フィンを含んでもよい。
【００４４】
上記構成によれば、排熱器は、第２方向に沿う排熱面を含むので、第２方向に流れる冷却空気は、排熱面に沿って円滑に流動し、副熱交換器からの排熱を促すことができる。
【００４５】
上記構成において、前記第２方向は、前記第１方向に対して直角方向であってもよい。
【００４６】
上記構成によれば、第２方向は、第１方向に対して直角方向であるので、排熱器からの排熱は、乾燥空気及び排出空気に対して、熱的に影響しにくくなる。したがって、乾燥装置は、高い熱交換効率を達成することができる熱交換技術を用いて、衣類を乾燥することができる。
【００４７】
上記構成において、乾燥装置は、前記収容槽へ、水を供給する給水機構を更に備えてもよい。前記収容槽は、前記前壁と前記後壁との間で延びる回転軸周りに回転する回転ドラムと、該回転ドラムを収容する水槽と、を含んでもよい。該水槽は、前記回転軸を取り囲む円筒形状の外周壁を含んでもよい。
【００４８】
上記構成によれば、乾燥装置は、収容槽へ、水を供給する給水機構を更に備えるので、洗濯機能を有することとなる。水槽は、前壁と後壁との間で延びる回転軸を取り囲む円筒形状の外周壁を含むので、外周壁、側壁及び底壁で囲まれる空間内に熱交換装置は適切に収容される。
【発明の効果】
【００４９】
本発明に係る乾燥装置は、高い熱交換効率を達成することができる熱交換技術を用いて、衣類を乾燥することができる。
【図面の簡単な説明】
【００５０】
【図１】第１実施形態の乾燥装置として例示される洗濯乾燥機の概略的なブロック図である。
【図２】図１に示される洗濯乾燥機の概略的な縦断面図である。
【図３】図２に示される洗濯乾燥機の概略的な背面図である。
【図４】図２に示される洗濯乾燥機の概略的な斜視図である。
【図５】図２に示される洗濯乾燥機の概略的な正面図である。
【図６】図２に示される洗濯乾燥機の概略的な斜視図である。
【図７】図２に示される洗濯乾燥機の概略的な平面図である。
【図８】図６に示される洗濯乾燥機のヒートポンプ装置の概略図である。
【図９】図６に示される洗濯乾燥機の第２排気ダクトの概略的な斜視図である。
【図１０】図９に示される第２排気ダクトの概略的な左側面図である。
【図１１】図９に示される第２排気ダクトの概略的な平面図である。
【図１２】図９に示されるＡ−Ａ線に沿う第２排気ダクトの概略的な断面図である。
【図１３】図９に示されるＢ−Ｂ線に沿う第２排気ダクトの概略的な断面図である。
【図１４】第２実施形態の乾燥装置として例示される洗濯乾燥機の概略的な断面図である。
【図１５】図１４に示される洗濯乾燥機の概略的な斜視図である。
【図１６】図１５に示される洗濯乾燥機の筐体内に配置された第２排気ダクトの概略的な斜視図である。
【発明を実施するための形態】
【００５１】
以下、図面を参照しつつ、乾燥装置として例示される洗濯乾燥機（洗濯機能を有する乾燥装置）が説明される。尚、以下の説明で用いられる「上」、「下」、「左」や「右」などの方向を表す用語は、単に、説明の明瞭化を目的とする。したがって、これらの用語は、乾燥装置の原理を何ら限定するものではない。以下の説明において、洗濯乾燥機が、乾燥装置の原理を説明するために用いられる。しかしながら、乾燥機能のみを有する装置が乾燥装置として用いられてもよい。
【００５２】
＜第１実施形態＞
（洗濯乾燥機）
図１は、第１実施形態の乾燥装置として例示される洗濯乾燥機１００の概略的なブロック図である。図１を参照して、洗濯乾燥機１００が説明される。図１中の実線の矢印は、制御信号の経路又は力の伝達経路を表す。図１中の点線の矢印は、水の流れを示す。図１中の一点鎖線の矢印は、空気の流れを表す。
【００５３】
洗濯乾燥機１００は、制御部２００と、給水機構３００と、排水機構４００と、衣類処理機構５００と、乾燥機構６００と、筐体７００と、を備える。洗濯乾燥機１００は、洗い工程、濯ぎ工程、脱水工程及び乾燥工程を実行する。制御部２００は、これらの工程に応じて、給水機構３００、排水機構４００、衣類処理機構５００及び乾燥機構６００を制御する。筐体７００は、制御部２００、給水機構３００、排水機構４００、衣類処理機構５００及び乾燥機構６００を収容する。
【００５４】
衣類処理機構５００は、モータ５１０と、洗濯槽５２０と、を含む。使用者は、衣類を洗濯槽５２０に収容することができる。制御部２００は、洗い工程、濯ぎ工程、脱水工程及び乾燥工程において、モータ５１０を制御し、洗濯槽５２０を回転させる。洗濯槽５２０の回転の結果、衣類は、攪拌される。本実施形態において、洗濯槽５２０は、収容槽として例示される。
【００５５】
給水機構３００は、給水弁３１０、切替弁３２０及び洗剤収容部３３０を含む。給水弁３１０及び切替弁３２０は、洗い工程及び濯ぎ工程において、制御部２００の制御下で動作する。使用者は、洗剤収容部３３０に洗剤を収容することができる。
【００５６】
制御部２００は、洗い工程及び濯ぎ工程において、洗濯槽５２０へ水を供給するために、給水弁３１０を開く。給水弁３１０を通じて流入した水は、切替弁３２０に到達する。洗い工程において、制御部２００は、切替弁３２０を操作し、洗剤収容部３３０から洗濯槽５２０へ向かう給水経路を設定する。この結果、洗い工程において、洗剤を含有する水が洗濯槽５２０へ供給される。濯ぎ工程において、制御部２００は、切替弁３２０を操作し、切替弁３２０から洗濯槽５２０へ直接的に向かう給水経路を設定する。この結果、濯ぎ工程において、水道水が洗濯槽５２０へ供給される。
【００５７】
排水機構４００は、循環ポンプ４１０、排水弁４２０及びフィルタ装置４３０を含む。制御部２００は、洗い工程及び濯ぎ工程において、循環ポンプ４１０及び排水弁４２０を適切に制御する。この結果、少ない水量の下、洗い工程及び濯ぎ工程が実行される。
【００５８】
制御部２００が、循環ポンプ４１０を作動させている間、排水弁４２０は閉じられる。循環ポンプ４１０が動作している間、給水機構３００によって洗濯槽５２０に供給された水は、循環ポンプ４１０と洗濯槽５２０との間で循環される。洗濯槽５２０から循環ポンプ４１０へ向かう水の経路にフィルタ装置４３０は配置される。フィルタ装置４３０は、洗濯槽５２０から排出された水から塵埃を除去する。
【００５９】
洗い工程及び濯ぎ工程において、制御部２００が排水弁４２０を開くと、洗濯槽５２０内の不要な水は、筐体７００の外に排出される。制御部２００は、脱水工程においても、排水弁４２０を開いてもよい。脱水工程において、衣類から分離された水は、排水弁４２０を通じて、筐体７００の外に排出される。
【００６０】
乾燥機構６００は、エアフィルタ装置６１０、送風機６２０及びヒートポンプ装置６３０を含む。制御部２００は、乾燥工程において、送風機６２０及びヒートポンプ装置６３０を作動させる。送風機６２０が作動する間、洗濯槽５２０内の空気は、洗濯槽５２０と送風機６２０との間で循環される。エアフィルタ装置６１０及びヒートポンプ装置６３０は、洗濯槽５２０から送風機６２０へ向かう空気の経路に配置される。エアフィルタ装置６１０は、洗濯槽５２０とヒートポンプ装置６３０との間に配置される。したがって、エアフィルタ装置６１０は、洗濯槽５２０から排出された排出空気から塵埃を除去することができる。その後、ヒートポンプ装置６３０は、排出空気と熱交換し、乾燥空気を作り出す。乾燥空気は、その後、送風機６２０によって、洗濯槽５２０へ送り込まれる。本実施形態において、ヒートポンプ装置６３０は、熱交換装置として例示される。
【００６１】
衣類は、洗濯槽５２０の回転によって攪拌される。洗濯槽５２０に流入した乾燥空気は、衣類と衝突し、水分を奪う。この結果、衣類は、乾燥される。衣類と衝突した空気の湿度は高くなる。衣類と衝突した空気は、その後、排出空気として、洗濯槽５２０から排出される。
【００６２】
図２は、洗濯乾燥機１００の概略的な縦断面図である。図２を用いて、洗濯乾燥機１００が更に説明される。
【００６３】
筐体７００は、洗濯槽５２０の下方で略水平に横たわる底壁７１０と、洗濯槽５２０の上方で略水平に横たわる天壁７２０と、底壁７１０と天壁７２０との間で立設された前壁７３０と、前壁７３０とは反対側の後壁７４０と、を含む。洗濯乾燥機１００は、前壁７３０に取り付けられた回動可能な扉体１１０を備える。前壁７３０には、洗濯槽５２０に連通する投入口７３１が形成される。扉体１１０は、投入口７３１を閉塞する閉位置と投入口７３１が開放される開位置との間で回動する。尚、図２に示される扉体１１０は、閉位置に存する。
【００６４】
洗濯槽５２０は、前壁７３０に向けて開口する。使用者は、扉体１１０を開位置に回動させ、投入口７３１を通じて、衣類を洗濯槽５２０へ投入することができる。その後、使用者は、扉体１１０を閉じ、衣類を洗濯槽５２０内に閉じ込めることができる。
【００６５】
洗濯槽５２０は、前壁７３０と後壁７４０との間で略水平に延びる回転軸ＲＸ周りに回転する回転ドラム５３０と、回転ドラム５３０を収容する水槽５４０と、を含む。水槽５４０は、回転軸ＲＸを取り囲む略円筒形状の外周壁５４１と、外周壁５４１の後端に囲まれる空間を閉塞する外底壁５４２と、を含む。
【００６６】
図３は、洗濯乾燥機１００の概略的な背面図である。図２及び図３を用いて、洗濯乾燥機１００が更に説明される。尚、図３に示される洗濯乾燥機１００からは、後壁７４０は除去されている。
【００６７】
筐体７００は、前壁７３０と後壁７４０との間で立設される左壁７５０と、左壁７５０とは反対の右壁７６０と、を更に含む。上述のモータ５１０は、右壁７６０、底壁７１０及び後壁７４０によって規定される角隅部に配置される。衣類処理機構５００は、外底壁５４２を貫き、回転ドラム５３０に接続される回転シャフト５５１と、回転シャフト５５１に取り付けられるプーリ５５２と、モータ５１０からプーリ５５２へ駆動力を伝達する無端ベルト５５３と、を含む。したがって、モータ５１０は、回転ドラム５３０を水槽５４０内で適切に回転させることができる。本実施形態において、左壁７５０は側壁及び第１壁として例示される。右壁７６０は、第２壁として例示される。
【００６８】
上述の送風機６２０は、左壁７５０、底壁７１０及び後壁７４０によって規定される角隅部に配置される。送風機６２０は、底壁７１０に据え付けられる。乾燥機構６００は、後壁７４０と外底壁５４２との間に配設された流入ダクト６４０を含む。流入ダクト６４０は、送風機６２０と外底壁５４２とに接続される。流入ダクト６４０は、後壁７４０に沿って、送風機６２０から洗濯槽５２０へ乾燥空気を案内する。流入ダクト６４０は、外底壁５４２と後壁７４０との間で回転するプーリ５５２を取り巻くように湾曲する。外底壁５４２には、洗濯槽５２０内への空気の流入を許容する流入口（図示せず）が形成される。尚、送風機６２０から洗濯槽５２０への乾燥空気の導入技術は、既知の乾燥装置に用いられる技術と同様であってもよい。
【００６９】
図４は、洗濯乾燥機１００の概略的な斜視図である。図５は、洗濯乾燥機１００の概略的な正面図である。図２、図４及び図５を用いて、洗濯乾燥機１００が更に説明される。尚、図４に示される洗濯乾燥機１００からは、天壁７２０及び前壁７３０は除去されている。図５に示される洗濯乾燥機１００からは、前壁７３０は除去されている。
【００７０】
水槽５４０は、外周壁５４１の前縁から内方に突出する環状の外前壁５４３と、外前壁５４３の内縁から前壁７３０に向けて突出する環状の突出部５４４と、を含む。乾燥機構６００は、洗濯槽５２０から排出された排出空気を送風機６２０へ案内する排気ダクト６５０を更に含む。排気ダクト６５０は、外前壁５４３の上部と送風機６２０とに接続される。
【００７１】
排気ダクト６５０は、外前壁５４３から底壁７１０に向けて、前壁７３０に沿って延びる第１排気ダクト６５１と、第１排気ダクト６５１から屈曲し、送風機６２０へ向かって延びる第２排気ダクト６５２と、を含む。第２排気ダクト６５２は、第１排気ダクト６５１と接続される接続箱６５３を含む。上述のエアフィルタ装置６１０は、接続箱６５３内に配置される。
【００７２】
第１排気ダクト６５１は、外前壁５４３と接続箱６５３との間で、左壁７５０に向かって、突出部５４４を取り巻くように湾曲する。本実施形態において、筐体７００は、金属製である。したがって、第１排気ダクト６５１に沿って流れる排出空気の熱は、金属製の左壁７５０を通じて、筐体７００の外に放出されやすくなる。
【００７３】
第１排気ダクト６５１の下端に到達した排出空気は、接続箱６５３内に流入する。エアフィルタ装置６１０は、接続箱６５３内に流入した排出空気から塵埃を除去する。第２排気ダクト６５２は、前壁７３０の近傍に配置された接続箱６５３から後壁７４０に向かって延び、送風機６２０に接続される。上述のヒートポンプ装置６３０の一部は、第２排気ダクト６５２内に配置される。エアフィルタ装置６１０と送風機６２０との間に配置されたヒートポンプ装置６３０は、第２排気ダクト６５２内を流れる排出空気と熱交換し、乾燥空気を作り出す。本実施形態において、前壁７３０から後壁７４０に向かう方向（即ち、第２排気ダクト６５２の延出方向）は、第１方向として例示される。
【００７４】
図６は、洗濯乾燥機１００の概略的な斜視図である。図７は、洗濯乾燥機１００の概略的な平面図である。図２、図６及び図７を用いて、洗濯乾燥機１００が更に説明される。尚、図６に示される洗濯乾燥機１００からは、天壁７２０、前壁７３０、第１排気ダクト６５１及び洗濯槽５２０は除去されている。図７に示される洗濯乾燥機１００からは、天壁７２０、第１排気ダクト６５１及び洗濯槽５２０は除去されている。
【００７５】
図６及び図７に示される如く、第２排気ダクト６５２は、左壁７５０に沿って延びる。第２排気ダクト６５２は、接続箱６５３と送風機６２０との間に形成された収容部６５４を含む。
【００７６】
（ヒートポンプ装置）
図８は、ヒートポンプ装置６３０の概略図である。図６乃至図８を用いて、ヒートポンプ装置６３０が説明される。
【００７７】
ヒートポンプ装置６３０は、収容部６５４内に配設された主熱交換器６３１と、第２排気ダクト６５２外において主熱交換器６３１から受け取った熱を排出する副熱交換器６３２と、を含む。主熱交換器６３１は、第２排気ダクト６５２を流れる排出空気を除湿する除湿部６３３と、除湿された排出空気を加熱し、乾燥空気を作り出す加熱部６３４と、を含む。
【００７８】
ヒートポンプ装置６３０は、加熱部６３４に向かって流れる作動媒体を圧縮するコンプレッサ６３５と、除湿部６３３に向かって流れる作動媒体を減圧する減圧弁６３６と、作動媒体の循環経路を規定する循環チューブ６３７と、を更に含む。循環チューブ６３７は、コンプレッサ６３５、加熱部６３４、減圧弁６３６及び除湿部６３３を通過する閉ループを形成する。本実施形態において、減圧弁６３６は、減圧部として例示される。循環チューブ６３７は、循環路として例示される。
【００７９】
減圧弁６３６からコンプレッサ６３５に向かう作動媒体を案内する循環チューブ６３７は、収容部６５４内で多数回折り曲げられる。除湿部６３３は、屈曲した循環チューブ６３７に取り付けられる多数の冷却フィン６３８を含む。減圧弁６３６による減圧によって、減圧弁６３６からコンプレッサ６３５に向かう作動媒体は冷却される。この結果、減圧弁６３６からコンプレッサ６３５に向かう作動媒体を案内する循環チューブ６３７及び循環チューブ６３７に取り付けられた冷却フィン６３８も冷却される。排出空気が除湿部６３３を通過するとき、冷却フィン６３８は、排出空気から熱を奪う。この結果、排出空気が含む水分は、冷却フィン６３８上で結露する。したがって、排出空気の湿度は低下する。本実施形態において、冷却フィン６３８は、除湿フィンとして例示される。
【００８０】
コンプレッサ６３５から減圧弁６３６に向かう作動媒体を案内する循環チューブ６３７は、収容部６５４内で多数回折り曲げられる。加熱部６３４は、屈曲した循環チューブ６３７に取り付けられる多数の加熱フィン６３９を含む。コンプレッサ６３５による圧縮によって、コンプレッサ６３５から減圧弁６３６に向かう作動媒体は加熱される。この結果、コンプレッサ６３５から減圧弁６３６に向かう作動媒体及び循環チューブ６３７に取り付けられた加熱フィン６３９も高温になる。排出空気が加熱部６３４を通過するとき、加熱フィン６３９は、排出空気に熱を与え、乾燥空気を作り出す。
【００８１】
冷却フィン６３８は、前壁７３０の近くに配置された接続箱６５３から後壁７４０の近くに配置された送風機６２０に向けて流れる排出空気の流れに沿って延びる冷却面６６１を含む。排出空気は、冷却面６６１によって主に冷却される。加熱フィン６３９は、前壁７３０の近くに配置された接続箱６５３から後壁７４０の近くに配置された送風機６２０に向けて流れる排出空気の流れに沿って延びる加熱面６６２を含む。排出空気は、加熱面６６２によって主に加熱される。本実施形態において、冷却面６６１及び加熱面６６２は、熱交換面として例示される。
【００８２】
副熱交換器６３２は、加熱部６３４と減圧弁６３６との間に形成される。循環チューブ６３７は、加熱部６３４と減圧弁６３６との間で作動媒体を案内する案内経路を規定する。循環チューブ６３７は、加熱部６３４と減圧弁６３６との間において、多数回折り曲げられる。作動媒体は、多数回折り曲げられた案内経路によって案内され、副熱交換器６３２内を流れる。したがって、副熱交換器６３２は、作動媒体を介して、主熱交換器６３１から熱を受ける。
【００８３】
副熱交換器６３２は、加熱部６３４から送り込まれた作動媒体から排熱する排熱器６６３と、排熱器６６３を冷却するための冷却空気を送り込むファン装置６６４と、を含む。ファン装置６６４は、左壁７５０に向けて冷却空気を送る（即ち、ファン装置６６４は、第２排気ダクト６５２から離間する方向へ冷却空気を送る）。排熱器６６３は、ファン装置６６４と左壁７５０との間に配置される。冷却空気は、排熱器６６３を通過し、作動媒体からの排熱を促す。本実施形態において、右壁７６０から左壁７５０に向かう方向及び／又は左壁７５０から右壁７６０に向かう方向は、第２排気ダクト６５２内を流れる排出空気の流れ方向に対して直角方向であるので、第２方向として例示される。ファン装置６６４は、冷却機として例示される。尚、第２方向は、第２排気ダクト６５２内を流れる排出空気（主熱交換器６３１から送風機６２０へ向かう空気）の流れ方向に対して異なる方向であればよく、直角方向に限定されない。
【００８４】
図６に示される如く、副熱交換器６３２は右壁７６０よりも左壁７５０の近くに配置される。したがって、排熱器６６３から冷却空気に移った熱は、左壁７５０を通じて、筐体７００の外に排出される。
【００８５】
図６に示される如く、副熱交換器６３２は、収容部６５４上に据え付けられる。したがって、副熱交換器６３２は、収容部６５４内に配置された主熱交換器６３１よりも上方に位置する。この結果、副熱交換器６３２から収容部６５４への熱の対流は生じにくくなる。
【００８６】
図８に示される如く、排熱器６６３は、加熱部６３４と減圧弁６３６との間で折り曲げられた循環チューブ６３７に取り付けられた多数の排熱フィン６６５を含む。排熱フィン６６５は、右壁７６０と左壁７５０との間に配置されたファン装置６６４から左壁７５０に向かって延びる排熱面６６６を含む。排熱器６６３は、排熱面６６６を通じて、主に排熱する。
【００８７】
図９は、第２排気ダクト６５２の概略的な斜視図である。図８及び図９を用いて、第２排気ダクト６５２が説明される。
【００８８】
第２排気ダクト６５２は、主熱交換器６３１の上部を覆う上カバー６５５と、主熱交換器６３１の下部を覆う下カバー６５６と、を含む。副熱交換器６３２（ファン装置６６４及び排熱器６６３）は、上カバー６５５によって支持される。
【００８９】
上カバー６５５は、コンプレッサ６３５を覆うコンプレッサカバー部６５７を含む。コンプレッサカバー部６５７は、左壁７５０、接続箱６５３、収容部６５４及びファン装置６６４に取り囲まれる。したがって、コンプレッサ６３５、主熱交換器６３１及び副熱交換器６３２は、左壁７５０の近くで、密集して配置されることとなる。
【００９０】
図１０は、第２排気ダクト６５２の概略的な左側面図である。図１１は、第２排気ダクト６５２の概略的な平面図である。図１２は、図９に示されるＡ−Ａ線に沿う第２排気ダクト６５２の概略的な断面図である。図９乃至図１２を参照して、第２排気ダクト６５２が更に説明される。尚、図１０及び図１１に示される第２排気ダクト６５２からは、上カバー６５５が除去されている。
【００９１】
上述の如く、コンプレッサ６３５、主熱交換器６３１及び副熱交換器６３２は、左壁７５０の近くで、密集して配置されるので、循環チューブ６３７は、左壁７５０と主熱交換器６３１との間の空間内で、主に配管される。図１２に示される如く、主熱交換器６３１及び循環チューブ６３７は、収容部６５４内で接続される。上カバー６５５は、ファン装置６６４が送り出す冷却空気を遮るので、冷却空気は、主熱交換器６３１に流入出する作動媒体の温度にほとんど影響を与えない。
【００９２】
図９に示される如く、コンプレッサカバー部６５７は、左壁７５０と副熱交換器６３２との間に突出した突出部６５８を含む。図１０に示される如く、循環チューブ６３７の一部は、コンプレッサ６３５との接続のために主熱交換器６３１より上方に配置される。突出部６５８は、主熱交換器６３１より上方に配置された循環チューブ６３７を適切に覆うので、冷却空気は、コンプレッサ６３５に流入出する作動媒体の温度にほとんど影響を与えない。
【００９３】
図１３は、図９に示されるＢ−Ｂ線に沿う第２排気ダクト６５２の概略的な断面図である。図１３を参照して、第２排気ダクト６５２が更に説明される。
【００９４】
下カバー６５６は、除湿部６３３から離間するように下方に突出した突出壁６７１と、突出壁６７１から上方に突出し、除湿部６３３を支持するリブ６７２と、突出壁６７１から下方に突出する接続管６７３と、を含む。突出壁６７１は、リブ６７２によって支持された除湿部６３３から滴下した水を受け止める。その後、水は、接続管６７３を通じて、第２排気ダクト６５２から排出される。
【００９５】
（循環空気と冷却空気との関係）
図２及び図９を用いて、送風機６２０によって循環される循環空気とファン装置６６４によって送り出される冷却空気との関係が説明される。
【００９６】
図２に関連して説明された如く、送風機６２０は、排気ダクト６５０を通じて、洗濯槽５２０内の空気を吸引する。その後、送風機６２０は、流入ダクト６４０を通じて、洗濯槽５２０へ空気を再度流入させる。第１排気ダクト６５１は、流入ダクト６４０よりも前壁７３０の近くに配置される。また、流入ダクト６４０は、第１排気ダクト６５１よりも後壁７４０の近くに配置される。この結果、第１排気ダクト６５１と流入ダクト６４０との間に長い距離が設けられる。副熱交換器６３２は、第１排気ダクト６５１よりも前壁７３０から離間され、且つ、流入ダクト６４０よりも後壁７４０から離間される。
【００９７】
図９に示される如く、ファン装置６６４は、左壁７５０に向けて、冷却空気を吹き出す。したがって、冷却空気は、第１排気ダクト６５１内を流れる排気空気及び流入ダクト６４０を流れる乾燥空気に対して、熱的な影響をほとんど及ぼさない。したがって、洗濯乾燥機１００は、高い熱交換効率の下、乾燥空気を作り出すことができる。
【００９８】
＜第２実施形態＞
図１４は、第２実施形態の乾燥装置として例示される洗濯乾燥機１００Ａの概略的な断面図である。第１実施形態と共通する特徴部に対して、同一の符号が付されている。同一の符号が付された特徴部に対して、第１実施形態の説明が援用される。図１４を参照して、洗濯乾燥機１００Ａが説明される。
【００９９】
第１実施形態と同様に、洗濯乾燥機１００Ａは、給水機構３００、排水機構４００及び衣類処理機構５００を備える。洗濯乾燥機１００Ａは、乾燥機構６００Ａ及び筐体７００Ａを更に備える。乾燥機構６００Ａは、第１実施形態と同様に、送風機６２０及びエアフィルタ装置６１０を備える。乾燥機構６００Ａは、ヒートポンプ装置６３０Ａを更に含む。
【０１００】
図１５は、洗濯乾燥機１００Ａの概略的な斜視図である。図１５を用いて、筐体７００Ａが説明される。尚、図１５に示される洗濯乾燥機１００Ａからは、筐体７００Ａの天壁及び前壁は除去されている。筐体７００Ａの天壁及び前壁は、第１実施形態と同様である。
【０１０１】
筐体７００Ａは、洗濯槽５２０の左で立設された左壁７５０Ａを備える。右壁７６０は、左壁７５０Ａの反対側で立設される。左壁７５０Ａには、筐体７００Ａの外の外気の導入を許容する導気口７５１が形成される。筐体７００Ａの他の構造は、第１実施形態と同様である。
【０１０２】
図１６は、筐体７００Ａ内に配置された第２排気ダクト６５２の概略的な斜視図である。図１６を用いて、ヒートポンプ装置６３０Ａが説明される。
【０１０３】
ヒートポンプ装置６３０Ａは、導気口７５１に隣接して配置された副熱交換器６３２Ａを含む。第１実施形態と同様に、副熱交換器６３２Ａは、排熱器６６３を含む。副熱交換器６３２Ａは、排熱器６６３と左壁７５０Ａとの間に配置されたファン装置６６４Ａを更に含む。ファン装置６６４Ａは、導気口７５１を通じて、外気を吸引し、右壁７６０に向けて外気を冷却空気として送り込む。導気口７５１を通じて流入した外気によって、排熱器６６３からの排熱が促されることとなる。ヒートポンプ装置６３０Ａの他の構造は、第１実施形態と同様である。本実施形態において、ファン装置６６４Ａは、冷却機として例示される。
【０１０４】
本実施形態において、導気口７５１は、左壁７５０Ａに形成される。代替的に、導気口は、底壁に形成されてもよい。導気口が、ファン装置の直下に形成されるならば、ファン装置は、筐体外の空気を適切に筐体内へ導入することができる。尚、導気口が、ファン装置の直下に形成されるならば、ファン装置は、第１実施形態と同様に左壁に向けて冷却空気を送り込んでもよい。
【０１０５】
上述の様々な実施形態において、ファン装置は、水平方向に冷却空気を送り出している。代替的に、ファン装置は、鉛直方向に冷却空気を送り出し、排熱器を空冷してもよい。例えば、ファン装置は、筐体の天壁に向けて冷却空気を送り出してもよい。排熱器が、ファン装置と天壁との間に配設されるならば、ファン装置は、排熱器を適切に冷却することができる。代替的に、ファン装置は、筐体の底壁に向けて冷却空気を送り出してもよい。排熱器が、ファン装置と底壁との間に配設されるならば、ファン装置は、排熱器を適切に冷却することができる。
【産業上の利用可能性】
【０１０６】
本実施形態の原理は、衣類を乾燥するための装置に好適に利用される。
【符号の説明】
【０１０７】
１００，１００Ａ・・・・・洗濯乾燥機
３００・・・・・・・・・・給水機構
５２０・・・・・・・・・・洗濯槽
５３０・・・・・・・・・・回転ドラム
５４０・・・・・・・・・・水槽
５４１・・・・・・・・・・外周壁
６２０・・・・・・・・・・送風機
６３０，６３０Ａ・・・・・ヒートポンプ装置
６３１・・・・・・・・・・主熱交換器
６３２，６３２Ａ・・・・・副熱交換器
６３３・・・・・・・・・・除湿部
６３４・・・・・・・・・・加熱部
６３５・・・・・・・・・・コンプレッサ
６３６・・・・・・・・・・減圧弁
６３７・・・・・・・・・・循環チューブ
６３８・・・・・・・・・・冷却フィン
６３９・・・・・・・・・・加熱フィン
６４０・・・・・・・・・・流入ダクト
６５０・・・・・・・・・・排気ダクト
６５１・・・・・・・・・・第１排気ダクト
６５２・・・・・・・・・・第２排気ダクト
６６１・・・・・・・・・・冷却面
６６２・・・・・・・・・・加熱面
６６３・・・・・・・・・・排熱器
６６４，６６４Ａ・・・・・ファン装置
６６６・・・・・・・・・・排熱面
７００，７００Ａ・・・・・筐体
７１０・・・・・・・・・・底壁
７３０・・・・・・・・・・前壁
７３１・・・・・・・・・・投入口
７４０・・・・・・・・・・後壁
７５０，７５０Ａ・・・・・左壁
７５１・・・・・・・・・・導気口
７６０・・・・・・・・・・右壁
ＲＸ・・・・・・・・・・・回転軸
【図１】
2014030667.tif 000003
【図２】
2014030667.tif 000004
【図３】
2014030667.tif 000005
【図４】
2014030667.tif 000006
【図５】
2014030667.tif 000007
【図６】
2014030667.tif 000008
【図７】
2014030667.tif 000009
【図８】
2014030667.tif 000010
【図９】
2014030667.tif 000011
【図１０】
2014030667.tif 000012
【図１１】
2014030667.tif 000013
【図１２】
2014030667.tif 000014
【図１３】
2014030667.tif 000015
【図１４】
2014030667.tif 000016
【図１５】
2014030667.tif 000017
【図１６】
2014030667.tif 000018